(57)【要約】【課題】高い処理能力を必要とせず、少ない消費電力で焼き付きを極力防止できる携帯電子機器及び表示部の制御方法を提供する。【解決手段】本実施形態の携帯電話１００によれば、強制劣化制御部９３が、表示部６が外部から見えない状態であるときに、劣化度算出部９１に劣化度Ｄを算出させ、記憶部８に記憶させた劣化度テーブルを更新させる。次に、強制劣化制御部９３は、劣化度テーブルを基に劣化画像生成部に劣化画像を生成させ、全画素の劣化度が最も劣化度が大きい画素の劣化度Ｄｍａｘと同程度の劣化になるまで各画素を劣化させる。【選択図】図５
2009058672.tif 000002
【特許請求の範囲】
【請求項１】
複数の発光素子を有する多数の表示画素を縦横に配して構成される表示部と、
前記表示部の画素ごとの発光素子の発光状況を監視して劣化度を算出する劣化度算出部と、
前記劣化度算出部が算出した前記劣化度に基づいて、各画素を強制的に劣化させるための劣化用画像を生成する劣化画像生成部と、
前記劣化画像生成部が生成した前記劣化用画像を所定の条件に応じて前記表示部に表示させる強制劣化制御部と、
を有することを特徴とする携帯電子機器。
【請求項２】
前記表示部を一面に有する第１の筐体と、
前記第１の筐体に連結される第２の筐体と、
を有し、
前記第１の筐体と前記第２の筐体とは、前記表示部が外部から見えない状態に折り畳まれることが可能であり、
前記強制劣化制御部は、前記第１の筐体と前記第２の筐体とが折り畳まれたことを前記所定の条件とする
ことを特徴とする請求項１に記載の携帯電子機器。
【請求項３】
操作入力を受け付ける操作部
を有し、
前記強制劣化制御部は、予め設定された所定の時刻に達したとき、前記操作部に対する操作入力が予め設定された時間無かったことを前記所定の条件とする
ことを特徴とする請求項１または２に記載の携帯電子機器。
【請求項４】
前記劣化画像生成部は、前記劣化度算出部が算出した各発光素子の劣化度を基に、全ての発光素子の劣化度が最も劣化度が大きい発光素子の劣化度と等しくなるまで劣化させるために、発光素子ごとに発光させるべき階調、輝度、発光させる時間を算出することにより劣化用画像を生成する
ことを特徴とする請求項１から３のいずれか一項に記載の携帯電子機器。
【請求項５】
前記劣化画像生成部は、各発光素子の前記劣化度を基に、各発光素子を最大階調及び最大輝度で発光させたときに、各発光素子の劣化度が最も劣化度が大きい発光素子の劣化度と等しくなる時間である劣化時間を算出することにより、劣化用画像を生成する
ことを特徴とする請求項４に記載の携帯電子機器。
【請求項６】
前記発光素子は、
赤色に発光するＲ素子と、
緑色に発光するＧ素子と、
青色に発光するＢ素子と、
を有し、
前記劣化度算出部は、各Ｒ素子、Ｇ素子、Ｂ素子それぞれの劣化のしやすさに応じた重み付けを行った劣化度を算出する
ことを特徴とする請求項１から５のいずれか一項に記載の携帯電子機器。
【請求項７】
前記強制劣化制御部は、前記劣化用画像を前記表示部に表示させている際に、前記劣化時間が経過した発光素子の発光を停止させる
ことを特徴とする請求項１から６のいずれか一項に記載の携帯電子機器。
【請求項８】
前記強制劣化制御部は、前記第１の筐体と前記第２の筐体との折り畳まれた状態が解除されたときに、前記劣化用画像を前記表示部に表示させていた場合には、前記表示部に前記劣化用画像を表示させることを停止する
ことを特徴とする請求項２に記載の携帯電子機器。
【請求項９】
前記強制劣化制御部は、前記劣化用画像を前記表示部に表示させていた場合に、前記操作部に対する操作入力があれば、前記劣化用画像の表示を停止させる
ことを特徴とする請求項３から８のいずれか一項に記載の携帯電子機器。
【請求項１０】
複数の発光素子を有する多数の表示画素を縦横に配して構成される表示部の制御方法であって、
前記画素ごとの複数の発光素子の発光状況を監視して劣化度を算出するステップと、
算出した前記劣化度に基づいて、各画素を強制的に劣化させるための劣化用画像を生成するステップと、
前記劣化用画像を所定の条件に応じて前記表示部に表示させるステップと、
を有することを特徴とする表示部の制御方法。
【発明の詳細な説明】
【技術分野】
【０００１】
本発明は、焼き付きを起こす恐れのある有機ＥＬディスプレイ（ＯＬＥＤ）等、ディスプレイデバイスを有する携帯電子機器及び表示部の制御方法に関する。
【背景技術】
【０００２】
現在、携帯電話やＰＤＡ（Personal Digital Assistants）等の携帯電子機器には、表示デバイスとして主に液晶ディスプレイ（ＬＣＤ：Liquid Crystal Display）が搭載されている。
しかし、ＬＣＤはバックライトを必要とするために消費電力が大きく、内蔵電源（充電池）等で駆動するため使用できる電力量に限りがある携帯電子機器では、より消費電力の小さい表示デバイスを採用したい、という要請がある。
【０００３】
ＬＣＤに代わる表示デバイスとして、近年では有機ＥＬ（有機Electro luminescence、以下、ＯＬＥＤ（Organic Light-Emitted Diode）と称する）ディスプレイが注目され、ＬＣＤが持つ高解像度、薄型軽量の特徴と、ＣＲＴ（Cathode Ray tube）ディスプレイが持つ高コントラスト、広視野角の特徴とを合わせ持つため、携帯電子機器の表示デバイスとして採用が検討されるようになっている。
【０００４】
ＯＬＥＤは、ＣＲＴディスプレイやプラズマディスプレイ同様、自発光型の表示デバイスであり、ガラス基板上にＩＴＯ（Indium Tin Oxide）からなるアノード電極が形成され、その上に、ホール輸送層、発光層、電子輸送層からなる有機層と、金属電極とからなるカソード電極が形成されている。
ＬＣＤは、輝度がバックライトにより液晶パネルに入射される光量で制御されるのに対し、ＯＬＥＤは、有機層に流れる電流により制御されるため、発光していない部分は完全に黒表示となりコントラストが非常に高いという特徴を持つ。
【０００５】
ＯＬＥＤの各素子は、緑色、青色、赤色等のいずれかの単色に発光し、これらの素子（画素）が多数並ぶことによりフルカラーの表示が可能なディスプレイが作成される。ところが、ＯＬＥＤの各素子は、有機物に通電して色を変化させるようになっているため、表示が行われる時間、すなわち有機物に通電した時間に比例して、有機物が劣化し、素子の発光輝度が低下してしまう。
このため、素子の劣化が発生し、発光の輝度が徐々に落ちていく現象が生じる。具体的には、同一の画素に高い輝度で同じ色の発光を長時間行わせた場合に、当該画素における発光表示素子の有機物が劣化して当該素子の発光輝度が低下してしまう現象である。発光輝度の劣化が生じてしまうと、劣化を起こした画素と隣接する画素とで同一色を表示させているにもかかわらず色合いが異なる、という焼き付きと呼ばれる事態が発生する。
【０００６】
一方、ＯＬＥＤや液晶ディスプレイにおいて焼き付き現象の対策のための技術が種々提案されている（例えば特許文献１〜４参照）。
特許文献１には、データ表示の表示速度を設定し、設定された速度で画像を表示させる無線通信端末が開示されている。
特許文献２には、外部電源の接続を検知したときに表示の反転表示と非反転表示の切換えを行う表示装置が開示されている。
特許文献３には、表示エリアを複数に分割して時間に応じて表示エリアを変更する端末装置が開示されている。
特許文献４には、ＲＧＢ各発光素子のうち、発光輝度の経時的劣化速度が大きい素子に対応する色ほど、画像の白表示部を構成するＲＧＢ比率が小さくなるように、計算により画像の白表示の色度座標を決定する携帯型電話機が開示されている。
【特許文献１】特開２００２−２６８６０１号公報
【特許文献２】特開２００３−１８６４３４号公報
【特許文献３】特開２００３−２２３１６０号公報
【特許文献４】特開２００３−２８０５８８号公報
【発明の開示】
【発明が解決しようとする課題】
【０００７】
携帯電話等の携帯電子機器は、携帯性を高めるために、処理能力や電池容量の点で制限がある場合が多く、それほど高い処理能力や大きな電池容量を有していない場合が多い。
上述した特許文献１〜４に開示された技術では、焼き付き防止のために消費電力が多くかかってしまう、或いは、高い処理能力が必要とされる。このため、安価に表示の焼き付きを防止した携帯電子機器を提供することが難しい、という不利益があった。
【０００８】
本発明は上記した不利益を解消するためになされたものであり、高い処理能力を必要とせず、少ない消費電力で焼き付きを極力防止できる携帯電子機器及び表示部の制御方法を提供することを目的とする。
【課題を解決するための手段】
【０００９】
上記した課題を解決するために、第１の発明の携帯電子機器は、複数の発光素子を有し多数の表示画素を縦横に配して構成される表示部と、前記表示部の画素ごとの発光素子の発光状況を監視して劣化度を算出する劣化度算出部と、前記劣化度算出部が算出した前記劣化度に基づいて、各画素を強制的に劣化させるための劣化用画像を生成する劣化画像生成部と、前記劣化画像生成部が生成した前記劣化用画像を所定の条件に応じて前記表示部に表示させる強制劣化制御部と、を有する。
【００１０】
好適には、前記表示部を一面に有する第１の筐体と、前記第１の筐体に連結される第２の筐体と、を有し、前記第１の筐体と前記第２の筐体とは、前記表示部が外部から見えない状態に折り畳まれることが可能であり、前記強制劣化制御部は、前記第１の筐体と前記第２の筐体とが折り畳まれたことを前記所定の条件とする。
【００１１】
好適には、操作入力を受け付ける操作部を有し、前記強制劣化制御部は、予め設定された所定の時刻に達したとき、前記操作部に対する操作入力が予め設定された時間無かったことを前記所定の条件とする。
【００１２】
好適には、前記劣化画像生成部は、前記劣化度算出部が算出した各発光素子の劣化度を基に、全ての発光素子の劣化度が最も劣化度が大きい発光素子の劣化度と等しくなるまで劣化させるために、発光素子ごとに発光させるべき階調、輝度、発光させる時間を算出することにより劣化用画像を生成する。
【００１３】
好適には、前記劣化画像生成部は、各発光素子の前記劣化度を基に、各発光素子を最大階調及び最大輝度で発光させたときに、各発光素子の劣化度が最も劣化度が大きい発光素子の劣化度と等しくなる時間である劣化時間を算出することにより、劣化用画像を生成する。
【００１４】
好適には、前記発光素子は、赤色に発光するＲ素子と、緑色に発光するＧ素子と、青色に発光するＢ素子と、を有し、前記劣化度算出部は、各Ｒ素子、Ｇ素子、Ｂ素子それぞれの劣化のしやすさに応じた重み付けを行った劣化度を算出する。
【００１５】
好適には、前記強制劣化制御部は、前記劣化用画像を前記表示部に表示させている際に、前記劣化時間が経過した発光素子の発光を停止させる。
【００１６】
前記強制劣化制御部は、前記第１の筐体と前記第２の筐体との折り畳まれた状態が解除されたときに、前記劣化用画像を前記表示部に表示させていた場合には、前記表示部に前記劣化用画像を表示させることを停止する。
【００１７】
前記強制劣化制御部は、前記劣化用画像を前記表示部に表示させていた場合に、前記操作部に対する操作入力があれば、前記劣化用画像の表示を停止させる。
【００１８】
第２の発明の表示部の制御方法は、複数の発光素子を有する多数の表示画素を縦横に配して構成される表示部の制御方法であって、前記画素ごとの複数の発光素子の発光状況を監視して劣化度を算出するステップと、算出した前記劣化度に基づいて、各画素を強制的に劣化させるための劣化用画像を生成するステップと、前記劣化用画像を所定の条件に応じて前記表示部に表示させるステップと、を有する。
【発明の効果】
【００１９】
本発明によれば、高い処理能力を必要とせず、少ない消費電力で焼き付きを極力防止できる携帯電子機器及び表示部の制御方法を提供することができる。
【発明を実施するための最良の形態】
【００２０】
以下、本発明の携帯電子機器の一例として携帯電話１００について説明する。
図１は、携帯電話１００の各構成について説明するためのブロック図である。
図１に示すように、携帯電話１００は、通信部１と、操作部２と、音声処理部３と、スピーカ４と、マイク５と、表示部６と、カメラ７と、記憶部８と、制御部９とを有する。
【００２１】
図２は、携帯電話１００の外観の一例を示す図である。
図２に示すように、携帯電話１００は、上部筐体１０１（本発明の第１の筐体に相当）と下部筐体１０２（本発明の第２の筐体に相当）とがヒンジ部１０３によって開閉可能に接続されている。
図２（ａ）は携帯電話１００の筐体が開かれた状態を、図２（ｂ）は携帯電話１００の筐体が閉じられた状態を示している。
上部筐体１０１は、スピーカ４及び表示部６を有する。
下部筐体１０２は、操作部２及びマイク５を有する。
【００２２】
通信部１は、複数の通信システムを捕捉し、通信ネットワークに接続される図示しない基地局との間で無線通信を行い、各種データの送受信を行う。各種データとは、音声通話時の音声データ、メール送受信時のメールデータ、ウェブ閲覧時のウェブページデータ等である。
操作部２は、例えば、電源キー、通話キー、数字キー、文字キー、方向キー、決定キー、発信キーなど、各種の機能が割り当てられたキーを有しており、これらのキーがユーザによって操作された場合に、その操作内容に対応する信号を発生し、これをユーザの指示として制御部９に出力する。
【００２３】
音声処理部３は、スピーカ４から出力される音声信号やマイク５において入力される音声信号の処理を行う。すなわち、マイク５から入力される音声を増幅し、アナログ／デジタル変換を行い、更に符号化等の信号処理を施し、デジタルの音声データに変換して制御部９に出力する。また、制御部９から供給される音声データに復号化、デジタル／アナログ変換、増幅等の信号処理を施し、アナログの音声信号に変換してスピーカ４に出力する。
【００２４】
表示部６は、多数の画素（複数色の発光素子の組み合わせ）を縦横に配して構成される、例えば有機ＥＬ（ＯＬＥＤ）パネルを用いて構成されており、制御部９から供給される映像信号に応じた画像を表示する。例えば、発信時における発信先の電話番号、着信時における発信元の電話番号、受信メールや送信メールの内容、日付、時刻、電池残量、発信成否、待ち受け画面等を表示する。
以下、ＯＬＥＤパネルについて簡単に説明する。
【００２５】
ＯＬＥＤパネルの構成の一例を図３に示す。
ＯＬＥＤパネルは、図３に示すように、タイミング制御部６１と、カラム駆動部６２と、ロウ駆動部６３と、ＯＬＥＤ電源部６４と、ＯＬＥＤパネル６５とにより構成される。
後述する制御部９から出力された映像信号（ＶＩＤＥＯ）は、タイミング制御部６１により、ＲＧＢ信号、垂直同期（ＶＤ）および水平同期信号（ＨＤ）に分離される。このうち、ＲＧＢ信号は、一旦、カラム駆動部６２によりアナログラッチで保持された後、指定されたタイミングでＯＬＥＤパネル６５のカラム本数分並列に一度に出力される。ＯＬＥＤ電源部６４から出力された信号は、それぞれ電圧から電流値に変換され、カラムを定電流駆動する。これにより、所定周期ごとの表示更新を行う。
【００２６】
また、ＶＤおよびＨＤは、ロウ駆動部６３で所定の電圧に変換され、カラムで出力された定電流信号で選択された画素のＯＮまたはＯＦＦ状態を決定する。例えば、横がｍ画素、縦がｎ画素のＯＬＥＤパネル６５を想定すれば、ＯＬＥＤパネル６５は、ｍ本のカラム電極と、ｎ本のロウ電極とを有していることになる。ｎ本のロウ電極は、ロウ電極の１行目からｎ行目を順次走査しており、ある動作時間のみカラム電極を介して駆動される定電流信号によって動作状態となる。このように、１行目のロウ電極から最下段のｎ行目のロウ電極まで逐次走査が切替えられて１画面分のアドレスが更新される。このときの１行目からｎ行目までの走査パルス列によって生成される１画面分の画像をフレームといい、連続的に画像を表示させるためにこの画面走査が繰り返し行われる。
以上のようにして表示部６のＯＬＥＤパネルに画像が表示される。
【００２７】
カメラ７は、例えばＣＣＤ（Charge Coupled Device）や、ＣＭＯＳ（Complementary Metal Oxide Semiconductor）のイメージセンサにより構成された撮像デバイスである。カメラ７は、後述する制御部９の制御に従って起動し、画像を撮影して制御部９に送る。
【００２８】
記憶部８は、携帯電話１００の各種処理に利用される各種データを記憶する。例えば、制御部９が実行するコンピュータのプログラム、通信相手の電話番号や電子メールアドレス等の個人情報を管理するアドレス帳、着信音やアラーム音を再生するための音声ファイル、待ち受け画面用の画像ファイル、カメラ７が撮像した画像ファイル、各種の設定データ、プログラムの処理過程で利用される一時的なデータなどを保持する。なお、上記した記憶部８は、例えば不揮発性の記憶デバイス（不揮発性半導体メモリ、ハードディスク装置、光ディスク装置など）やランダムアクセス可能な記憶デバイス（例えばＳＲＡＭ、ＤＲＡＭ）などによって構成される。
また、記憶部８は、後述する劣化度テーブルを記憶する。
【００２９】
制御部９は、携帯電話１００の全体的な動作を統括的に制御する。すなわち、携帯電話の各種の処理（回線交換網を介して行われる音声通話、電子メールの作成と送受信、インターネットのＷｅｂサイトの閲覧など）が操作部２の操作に応じて適切な手順で実行されるように、上述した各ブロックの動作（通信部１における信号の送受信、音声処理部３における音声の入出力、表示部６における画像の表示、カメラ７による撮像など）を制御する。
制御部９は、記憶部８に格納されるプログラム（オペレーティングシステム、アプリケーションプログラム等）に基づいて処理を実行するコンピュータ（マイクロプロセッサ）を備えており、このプログラムにおいて指示された手順に従って上述した処理を実行する。すなわち、記憶部８に格納されるオペレーティングシステムやアプリケーションプログラム等のプログラムから命令コードを順次読み込んで処理を実行する。
【００３０】
また、制御部９は、表示部６のＯＬＥＤパネルの焼き付きを抑えるために、劣化度算出部９１、劣化画像生成部９２、強制劣化制御部９３を有する。
劣化度算出部９１が算出した各画素（発光素子）の劣化度を基に、全画素を均一の劣化度にするための劣化用画像を劣化画像生成部９２が生成し、これを強制劣化制御部９３が所定の条件で表示させることにより、画素の劣化の均一化を図り、結果として焼き付きを目立たなくする。
劣化度算出部９１は、表示部６のＯＬＥＤパネルに表示が行われる度に、ＯＬＥＤパネルの各画素を監視し、各画素について点灯した輝度、階調、時間等のデータを取得し、後述する劣化度を各画素について算出する。
【００３１】
以下、劣化度算出部９１の動作例について説明する。
図４は、劣化度算出部９１の動作例を説明するためのフローチャートである。
図４におけるフローチャートにおいて、劣化度算出部９１は所定時間ごと、或いは表示部６が更新されるごとに劣化度の算出を行う。
ステップＳＴ１：
劣化度算出部９１は、タイマＴ１を初期化する。
タイマＴ１は、前回の劣化度算出からの経過時間をカウントするためのタイマである。
ステップＳＴ２：
劣化度算出部９１は、タイマＴ１により所定時間の経過を検知した、或いは表示部６の表示が更新されたかを判断する。所定時間の経過を検知した、或いは、表示部６の表示が更新された場合は、ステップＳＴ３に進み、タイマＴ１が所定の時刻に達していない、或いは表示部６の表示が更新されていない場合は、ステップＳＴ１に戻る。
【００３２】
ステップＳＴ３：
劣化度算出部９１は、表示部６のＯＬＥＤパネルの全画素（発光素子）に対して、劣化度Ｄを算出する。
ＯＬＥＤの各画素は３色の発光素子、すなわち赤（Ｒ）素子と、緑（Ｇ）素子と、青（Ｂ）素子とにより構成される。このため、劣化度算出部９１は、Ｒ素子、Ｇ素子、Ｂ素子の全発光素子に対して劣化度Ｄを算出する。
劣化度Ｄは、各発光素子が発光によって消費された度合いを示すために本実施形態において定義する値であり、
Ｄ＝（前回の劣化度算出からの経過時間）×（階調）×（輝度）×（調整値）
で算出する。
前回の劣化度算出からの経過時間は、タイマＴ１がカウントした値を用いる。前回の劣化度算出からの経過時間は、上述した所定時間か、或いは表示部６の表示が更新されるまでの時間である。
階調は、表示部６のＯＬＥＤパネルの各画素の現在の表示の階調による係数である。
輝度は、表示部６のＯＬＥＤパネルの各画素の現在の表示の輝度による係数である。
調整値は、表示部６のＯＬＥＤパネルの特性に応じた重み付けのための値であり、携帯電話１００の製造時に、ＯＬＥＤパネルの特性に応じて予め取得しておいた値である。例えば、各発光素子に使用されている有機物の性質等に起因して、色が違う発光素子ごとに劣化の速度が異なる場合がある。調整値はこれを劣化度Ｄに反映させるための値であり、例えば、同じ時間同じ輝度・階調で表示を行った場合、Ｇ素子とＢ素子は同程度劣化し、Ｒ素子はＧ素子及びＢ素子の倍劣化が激しい、という特性を有することが予め分かっていれば、Ｒ素子の調整値を２、Ｇ素子及びＢ素子の調整値を１と設定することにより、劣化度算出時に、各色の発光素子ごとの劣化の特性に応じた重み付けを行うことができる。
調整値は、ＯＬＥＤパネルの製造方法、各素子の物質（材質）等により異なってくる。すなわち、ＯＬＥＤパネルのメーカや、製法が異なることにより調整値も変化する可能性が高くなる。従って、調整値は、表示部６のＯＬＥＤパネルの特性を携帯電話１００の製造前に十分調査して決定しておく。
【００３３】
ステップＳＴ４：
劣化度算出部９１は、ステップＳＴ３において算出した全画素（発光素子）の劣化度を、記憶部８の劣化度テーブルに加えて上書きさせる。
劣化度テーブルは、表示部６のＯＬＥＤパネルの全画素の劣化度を記憶するためのテーブルである。劣化度算出部９１は、各画素に対して、ステップＳＴ３において算出した劣化度Ｄを、既に劣化度テーブルに記憶されていた劣化度に加算し、上書きする。ステップＳＴ３において算出した劣化度は、前回の劣化度算出から所定時間、或いは表示部６の表示が更新されるまでの時間における劣化度であり、これを既に記憶されていた劣化度に加えることにより、劣化度テーブルには現在までの劣化度が記憶されていることになる。
劣化度算出部９１は、上述したように表示部６のＯＬＥＤパネルの全画素に対して劣化度を算出し劣化度テーブルに記憶させる。
【００３４】
次に、劣化画像生成部９２について説明する。
劣化画像生成部９２は、劣化度算出部９１が算出した表示部６のＯＬＥＤパネルの全画素の劣化度を基に、全画素の劣化度を均一にするための画像を生成する。
全画素の劣化度を均一にするための画像は、すなわち、各画素を劣化度に応じた時間点灯させ、全ての画素（発光素子）を均一に劣化させるための画像である。なお、劣化させるための画像における、劣化させる対象となる画素の階調及び輝度は、劣化させることが目的であるため、それぞれ最大値に設定すればよい。
【００３５】
以下、劣化画像生成部９２が生成する劣化画像の生成方法の一例について説明する。
劣化画像生成部９２は、表示部６のＯＬＥＤパネルの１つの画素（発光素子）に対して、以下の処理を行う。
まず、記憶部８に記憶された劣化度テーブルを参照し、現在の画素の劣化度Ｄと、全画素中最も劣化が激しい画素の劣化度Ｄｍａｘとを取得する。劣化度テーブルに記憶された各画素の劣化度Ｄは、それぞれの画素のこれまでの劣化度の累積である。
【００３６】
ここで、劣化画像生成部９２が生成する劣化用画像の目的は、これを表示部６のＯＬＥＤパネルに表示させることにより、全画素の劣化度を最大の劣化度Ｄｍａｘと等しくさせることである。すなわち、全画素に対して、（Ｄｍａｘ−Ｄ）だけ劣化度を促進するような画像である必要がある。
画素を劣化させるためには、最大階調、最大輝度で画素を発光させることが効果的である。すなわち、劣化用画像においては、各画素は最大の階調及び輝度で各画素を発光させられる。ただし、発光する時間は画素ごとに異なり、劣化度が（時間）×（階調）×（輝度)×（調整値）であることから、その時間は、
（Ｄｍａｘ−Ｄ）／（（最大階調）×（最大輝度）×（調整値））
によって算出することができる。このようにして算出した時間を以下劣化時間と称する。
以上のようにして、劣化画像生成部９２は、表示部６のＯＬＥＤパネルの全画素の劣化度を均一化させるために表示させる劣化用画像を生成する、すなわち各画素を最大階調・最大輝度で発光させる時間（劣化時間）を算出する。
なお、劣化画像生成部９２が劣化用画像を生成するタイミングは、後述する強制劣化制御部９３が指定したタイミングである。
【００３７】
次に、強制劣化制御部９３について説明する。
強制劣化制御部９３は、劣化画像生成部９２が生成した劣化用画像を表示部６に表示させ、各画素を劣化させて劣化度を均一化させるための処理を行う。
以下、強制劣化制御部９３の動作例を図面を参照して説明する。
図５は、強制劣化制御部９３の動作例を説明するためのフローチャートである。
【００３８】
ステップＳＴ１１：
強制劣化制御部９３は、表示部６が外部から見えない状態となっているか否かを判断する。
図２に示すように、本実施形態の携帯電話１００は折り畳み型の携帯電話機であり、図２（ｂ）に示した、閉じられた状態においては、表示部６が存在する面が内側になるように折り畳まれるため、外部から表示部６が視認できない状態となる。
すなわち、表示部６が外部から見えない状態となっているか否かは、携帯電話１００が閉じられているか否かを検知することにより判断することができる。
携帯電話１００が閉じられた状態か否かを検知する方法としては、例えば上部筐体１０１に突起部を設け、閉じられた状態となったときに当該突起部が下部筐体１０２に予め設けられた孔部内のスイッチを押すように設計しておき、スイッチが突起部によって押された場合に閉じられたことを検知するような方法がある。ただし、本発明では携帯電話１００が閉じられた状態であるか否かを検知する方法についてはこの方法に限定しない。既存の技術を利用することができる。
【００３９】
ステップＳＴ１２：
強制劣化制御部９３は、劣化画像生成部９２に劣化用画像を生成させる。生成させた劣化用画像は、記憶部８に記憶させる。
【００４０】
ステップＳＴ１３：
強制劣化制御部９３は、劣化画像生成部９２が生成した劣化画像を表示部６に表示させる。すなわち、最大階調・最大輝度で、劣化画像生成部９２が算出した時間だけ各画素を発光させる。
ステップＳＴ１４：
強制劣化制御部９３は、タイマＴ２を初期化する。
タイマＴ２は、劣化用画像を表示させてからの時間の経過を計測するタイマである。
【００４１】
ステップＳＴ１５：
強制劣化制御部９３は、タイマＴ２がそれぞれの画素（発光素子）の劣化時間に達したか否かを判定する。すなわち、劣化時間が経過したか否かを判定する。タイマＴ２が劣化時間に達した場合はステップＳＴ１６に進み、達していない場合はステップＳＴ１５を繰り返す。
ステップＳＴ１６：
強制劣化制御部９３は、劣化用画像の表示開始から、それぞれの画素の劣化時間が経過した画素（発光素子）を消灯する。
【００４２】
ステップＳＴ１７：
強制劣化制御部９３は、表示部６の全ての画素において、それぞれの劣化時間だけ劣化用画像が表示され、全ての画素が消灯したか否かを判断する。
表示部６の全ての画素が消灯された場合はステップＳＴ１８に進み、そうでない場合はステップＳＴ１５に戻る。
ステップＳＴ１８：
強制劣化制御部９３は、劣化度テーブルを全画素劣化度Ｄｍａｘに更新する。
【００４３】
以上説明したように、強制劣化制御部９３は、表示部６が外部から見えない状態であるときに、表示部６のＯＬＥＤパネルの各画素にそれぞれの画素の劣化度に応じた劣化用画像を表示させるので、ユーザに感知されることなく、全画素の劣化度が均一になるまで各画素を劣化させることができる。
強制劣化制御部９３が、表示部６に劣化用画像を表示させる処理は、例えば表示部６が外部から見えなくなった、すなわち、携帯電話１００が閉じられた状態となった瞬間から開始しても良いし、例えば、予め劣化用画像を表示させる時刻をユーザが表示確認することがないであろう時刻に設定しておき、その時刻に所定時間無操作であったことを条件に、劣化用画像を表示させる処理を開始してもよい。
【００４４】
また、強制劣化制御部９３は、上記図５に関連付けて説明した各画素を劣化させている処理の最中に、例えばユーザによって携帯電話１００が開いた状態にされる等、表示部６が外部から見られる状態となった場合には、上記処理を中断し、通常の表示、すなわち、例えば待ち受け画面の表示等を行う。
【００４５】
以上説明したように、本実施形態の携帯電話１００によれば、強制劣化制御部９３が、表示部６が外部から見えない状態であるときに、劣化度算出部９１に劣化度Ｄを算出させ、記憶部８に記憶させた劣化度テーブルを更新させる。次に、強制劣化制御部９３は、劣化度テーブルを基に劣化画像生成部に劣化画像を生成させ、全画素の劣化度が最も劣化度が大きい画素の劣化度Ｄｍａｘと同程度の劣化になるまで各画素を劣化させるため、表示部６のＯＬＥＤパネルを均一に劣化させることができ、結果として焼き付き、すなわち一部の画素のみが他の画素よりも劣化している状態となることを防止することができる。
また、本実施携帯の携帯電話１００によれば、Ｒ画素，Ｇ画素，Ｂ画素のそれぞれで劣化の度合いが異なることを考慮して、劣化度Ｄの算出時に、予め各画素の性質を基に設定した調整値による重み付けを行うので、特定の色の画素のみが他の色よりも劣化して見えたり、或いは反対に特定の色のみ劣化して見えなかったり、といった事態を回避し、表示部６のＯＬＥＤパネルの各画素を均一に劣化させた際に、全体の色のバランスを損なうことがない。
【００４６】
また、本実施形態の携帯電話１００によれば、劣化度算出部９１が算出する劣化度Ｄを、
Ｄ＝（発光時間）×（階調）×（輝度）×（調整値）
と設定するため、劣化画像生成部９２が劣化用画像を生成する際に、劣化画像を容易に生成できる。すなわち、劣化画像生成部９２が生成する劣化画像は、各画素（発光素子）の劣化度Ｄと、全画素（発光素子）中最大の劣化度Ｄｍａｘとを基に、（Ｄｍａｘ−Ｄ）／（（最大階調）×（最大輝度）×（調整値））により算出される時間だけ発光させ続けることを意味する画像であり、当該時間だけ発光させることにより、劣化度がＤｍａｘになるまで容易に劣化させることができる。
【００４７】
本発明は上述した実施形態には限定されない。
すなわち、本発明の実施に際しては、本発明の技術的範囲またはその均等の範囲内において、上述した実施形態の構成要素に関し様々な変更、コンビネーション、サブコンビネーション、並びに代替を行ってもよい。
【００４８】
上述した実施形態では、本発明の携帯電子機器の一例として携帯電話１００について説明したが、本発明はこれには限定されない。すなわち、例えばＰＤＡ（Personal Digital Assistants）等、携帯可能かつＯＬＥＤパネルを採用した表示部を有する電子機器全てに適用が可能である。
また、上述した実施形態では、携帯電話１００は折り畳み可能な携帯電話機であるとし、携帯電話１００が折り畳まれ閉じられた状態となったときに各画素を劣化させるための劣化画像を表示させるようにしたが、本発明はこれには限定されない。すなわち、例えば、ストレート型、スライド型等、ＯＬＥＤパネルを有する表示部が外部に曝されたままである形態の携帯電子機器に対しても、本発明は適用可能である。このような場合は、例えば、劣化用画像がユーザの眼に触れないと思われる、深夜等の所定の時刻となったとき、本発明の携帯電子機器が所定の時間だけ無操作状態であった場合に、劣化用画像を表示させるようにしてもよい。すなわち、操作部の入力を監視しておき、所定の時刻となり、かつ操作部への操作入力が所定時間無かった場合のみ、劣化用画像を表示させるようにすることにより、ユーザの眼に触れないと思われる状況で各画素の劣化度を均一にすることができる。また、この場合には、劣化用画像を表示させている最中に、操作部に対する操作入力に応じて、劣化用画像の表示を中止し、待ち受け画面等を表示させるようにすればよい。
【図面の簡単な説明】
【００４９】
【図１】図１は、本実施形態の携帯電話の各構成について説明するためのブロック図である。
【図２】図２は、携帯電話の外観の一例を示す図である。
【図３】図３は、ＯＬＥＤパネルの構成の一例を示す図である。
【図４】図４は、劣化度算出部の動作例を説明するためのフローチャートである。
【図５】図５は、強制劣化制御部の動作例を説明するためのフローチャートである。
【符号の説明】
【００５０】
１００…携帯電話、１０１…上部筐体、１０２…下部筐体、１０３…ヒンジ部、１…通信部、２…操作部、３…音声処理部、４…スピーカ、５…マイク、６…表示部、６１…タイミング制御部、６２…カラム駆動部、６３…ロウ駆動部、６４…ＯＬＥＤ電源部、６５…ＯＬＥＤパネル、７…カメラ、８…記憶部、９…制御部、９１…劣化度算出部、９２…劣化画像生成部、９３…強制劣化制御部
【図１】
2009058672.tif 000003
【図２】
2009058672.tif 000004
【図３】
2009058672.tif 000005
【図４】
2009058672.tif 000006
【図５】
2009058672.tif 000007